(57)【特許請求の範囲】
【請求項１】
テープ状の記録媒体が収容されたカセットケースの背面に貼着される基材であって、前記カセットケースの背面には記録防止用爪を有し、当該基材は前記記録防止用爪が形成されている部分を除いて前記背面の全面に対応する外形を有し、当該基材が前記背面に貼着された場合に前記記録防止用爪が形成されている部分に対応する位置に切り欠き部分が形成されている、基材と、
前記基材の一方の面に、前記切り欠き部分を凹形状にして避けた形態で、前記基材の内周縁に沿って形成された１個のアンテナと、
前記１個のアンテナの両端と接続され、当該アンテナを介して他の装置と無線通信を行い、信号処理を行うことが可能な半導体装置と
を有するラベル。
【請求項２】
前記基材を前記カセットケースの背面に貼着するための貼着層が形成されている、
請求項１に記載のラベル。
【請求項３】
前記半導体装置は、前記基材が貼着された面において、保護層により封止されている、
請求項１または２に記載のラベル。
【請求項４】
前記テープ状の記録媒体が収容されたカセットケースは、ビデオカセットテープであり、
前記アンテナの外形は矩形の形状であり、前記アンテナの長手方向の長さ１５ｃｍ以上で、前記アンテナの前記長手方向に直交する方向の長さが２．５ｃｍ以下である、
請求項１〜３のいずれかに記載のラベル。
【請求項５】
テープ状の記録媒体が収容されたカセットケースの背面に設けられる基材であって、前記カセットケースの背面には記録防止用爪を有し、当該基材は前記記録防止用爪が形成されている部分を除いて前記背面の全面に対応する外形を有し、前記記録防止用爪が形成されている部分に対応する位置に切り欠き部分が形成されている、基材と、
前記基材の一方の面に、前記切り欠き部分を凹形状にして避けた形態で前記基材の内周縁に沿って形成された１個のアンテナと、
当該アンテナを介して他の装置と無線通信を行い、信号処理を行うことが可能な半導体装置の端子と、前記アンテナの両端とを接続するためのパッドと
を有するラベル用アンテナ。
【請求項６】
前記テープ状の記録媒体が収容されたカセットケースは、ビデオカセットテープであり、
前記アンテナの外形は矩形の形状であり、前記アンテナの長手方向の長さ１５ｃｍ以上で、前記アンテナの前記長手方向に直交する方向の長さが２．５ｃｍ以下である、
請求項５に記載のラベル用アンテナ。
【請求項７】
テープ状の記録媒体と、前記テープ状の記録媒体を収容するカセットケースと、
前記カセットケースの背面に形成された、前記記録媒体への記録を防止する記録防止用の爪と、
前記記録防止用の爪の部分を除いて、前記カセットケースの背面の全面に貼着されたラベルと
を有し、
前記ラベルは、
前記背面の全面に対応する外形を有し、前記記録防止用の爪の部分に対応する位置に切り欠き部分が形成されている、基材と、
前記基材の一方の面に、前記切り欠き部分を凹形状に避けた形態で、前記基材の内周縁に沿って形成されている、１個のアンテナと、
前記アンテナの両端と接続され、前記アンテナを介して他の装置と無線通信を行い、信号処理を行うことが可能な半導体装置と
を有する、
カセットテープ。
【請求項８】
テープ状の記録媒体と、前記テープ状の記録媒体を収容するカセットケースと、
前記カセットケースの背面に設けられ、前記記録媒体の記録を防止する記録防止用の爪と、
前記カセットケースの前記背面に、前記記録防止用の爪の部分を凹形状に避けた形態で前記背面の内周縁に沿って埋設された１個のアンテナと、
前記アンテナの両端と接続され、前記アンテナを介して他の装置と無線通信を行い、信号処理を行うことが可能な半導体装置と
を有する、
カセットテープ。
【発明の詳細な説明】
【０００１】
【発明の属する技術分野】
本発明は、たとえばビデオカセットテープなどのカセットテープの背に貼着するためのラベルであって、特に、それ自体がデータキャリアとなっているラベル、そのラベル用アンテナ、および、そのようなデータキャリアを背部分に有するカセットテープに関する。
【０００２】
【従来の技術】
従来、たとえばレンタルビデオショップなどにおいて、大量のビデオテープを管理するためには、通常、バーコードが用いられている。
たとえば図８に示すように、ビデオカセットテープ９００の窓が設けられている上面９０２に、バーコードを印刷した８０ｍｍ×５０ｍｍ程度のシール９０４を貼着し、これをバーコードリーダで読み取ることにより、そのビデオテープの情報を入力し、ビデオテープの貸し出しや返却、あるいは在庫管理を行なっている。
また近年のいわゆるＩＣカードの普及、低価格化により、このようなビデオカセットテープの管理に、非接触型のＩＣカード（以後、これをデータキャリアという場合もある。）を用いたいという要望もあり、バーコードシール９０４の代わりにデータキャリアを貼着する試みもなされている。
【０００３】
【発明が解決しようとする課題】
ところで、レンタルビデオショップなどの大量のビデオを保管している所では、通常、図９に示すようにビデオカセットテープ９００を棚に立て掛けておいてある。したがって、たとえば在庫管理を行なうためにそのビデオカセットテープの情報を読み込もうとする場合、そのビデオカセットが、図８に示すように上面９０２にバーコードシールあるいはデータキャリアが貼着されているビデオカセットテープ９００であれば、そのビデオカセットテープ９００を１つずつ棚から取り出してバーコードリーダやデータキャリアのリード／ライト装置９０６などにかざしデータを入力しなければならず、作業効率が悪いという問題がある。
【０００４】
また、たとえばレジなどで精算を行なう場合にも、バーコードシールが貼着されたビデオカセットテープでは１つずつ順に手動でバーコードを読み取る必要があり、手間がかかり効率が悪い。
また、データキャリアが貼着されたビデオカセットテープにおいては、図１０に示すように重ねてリード／ライト装置９１０のアンテナ９０８上に載置することにより、まとめてデータの読み出しおよび書き込みを行なうことができるが、この場合もたとえば３つ程度までしか一括して情報を読み書きできず、より多くのビデオカセットテープを一括して処理したいという要望があった。
【０００５】
したがって、本発明の目的は、たとえばビデオカセットテープなどの背面に貼着して用いることにより、その背面のどの領域においても適切に通信を行なうことができ、その媒体に関する情報を一括してあるいは余分な手間を必要とせず、効率よく読み書きすることのできるラベルを提供することにある。
また、本発明の他の目的は、そのようなラベルに用いられ、効率よくデータの読み書きが行なえるようなラベル用アンテナを提供することにある。
さらに、本発明の他の目的は、カセットテープの内容に係わる情報や管理情報などを、効率よく読み書きすることのできるデータキャリアを有するカセットテープを提供することにある。
【０００６】
【課題を解決するための手段】
本発明によれば、テープ状の記録媒体が収容されたカセットケースの背面に貼着される基材であって、前記カセットケースの背面には記録防止用爪を有し、当該基材は前記記録防止用爪が形成されている部分を除いて前記背面の全面に対応する外形を有し、当該基材が前記背面に貼着された場合に前記記録防止用爪が形成されている部分に対応する位置に切り欠き部分が形成されている、基材と、前記基材の一方の面に、前記切り欠き部分を凹形状にして避けた形態で、前記基材の内周縁に沿って形成された１個のアンテナと、前記１個のアンテナの両端と接続され、当該アンテナを介して他の装置と無線通信を行い、信号処理を行うことが可能な半導体装置とを有するラベルが提供される。
【０００７】
好適には、前記基材を前記カセットケースの背面に貼着するための貼着層が形成されている。
また好適には、前記半導体装置は、前記基材が貼着された面において、保護層により封止されている。
さらに好適には、前記テープ状の記録媒体が収容されたカセットケースは、ビデオカセットテープであり、前記アンテナの外形は矩形の形状であり、前記アンテナの長手方向の長さ１５ｃｍ以上で、前記アンテナの前記長手方向に直交する方向の長さが２．５ｃｍ以下である。
【０００８】
また本発明によれば、テープ状の記録媒体が収容されたカセットケースの背面に設けられる基材であって、前記カセットケースの背面には記録防止用爪を有し、当該基材は前記記録防止用爪が形成されている部分を除いて前記背面の全面に対応する外形を有し、前記記録防止用爪が形成されている部分に対応する位置に切り欠き部分が形成されている、基材と、前記基材の一方の面に、前記切り欠き部分を凹形状にして避けた形態で前記基材の内周縁に沿って形成された１個のアンテナと、当該アンテナを介して他の装置と無線通信を行い、信号処理を行うことが可能な半導体装置の端子と、前記アンテナの両端とを接続するためのパッドとを有するラベル用アンテナが提供される。
【０００９】
好適には、前記テープ状の記録媒体が収容されたカセットケースは、ビデオカセットテープであり、前記アンテナの外形は矩形の形状であり、前記アンテナの長手方向の長さ１５ｃｍ以上で、前記アンテナの前記長手方向に直交する方向の長さが２．５ｃｍ以下である。
【００１０】
また本発明によれば、テープ状の記録媒体と、前記テープ状の記録媒体を収容するカセットケースと、前記カセットケースの背面に形成された、前記記録媒体への記録を防止する記録防止用の爪と、前記記録防止用の爪の部分を除いて、前記カセットケースの背面の全面に貼着されたラベルとを有し、
前記ラベルは、前記背面の全面に対応する外形を有し、前記記録防止用の爪の部分に対応する位置に切り欠き部分が形成されている、基材と、前記基材の一方の面に、前記切り欠き部分を凹形状に避けた形態で、前記基材の内周縁に沿って形成されている、１個のアンテナと、前記アンテナの両端と接続され、前記アンテナを介して他の装置と無線通信を行い、信号処理を行うことが可能な半導体装置とを有する、
カセットテープが提供される。
【００１１】
さらに本発明によれば、テープ状の記録媒体と、前記テープ状の記録媒体を収容するカセットケースと、前記カセットケースの背面に設けられ、前記記録媒体の記録を防止する記録防止用の爪と、前記カセットケースの前記背面に、前記記録防止用の爪の部分を凹形状に避けた形態で前記背面の内周縁に沿って埋設された１個のアンテナと、前記アンテナの両端と接続され、前記アンテナを介して他の装置と無線通信を行い、信号処理を行うことが可能な半導体装置とを有する、カセットテープが提供される。
【００１２】
【発明の実施の形態】
本発明の一実施の形態について、図１〜図４を参照して説明する。
まず、本実施の形態のビデオカセットテープ用ラベル（単に、ラベルと言う場合もある。）について、図１〜図３を参照して説明する。
図１（Ａ）は、そのビデオカセットテープ用ラベルに用いるアンテナシート１０を示す図であり、図１（Ｂ）は、パッド１３部分の拡大図である。
図１（Ａ）に示すように、アンテナシート１０は、基材１１上にアンテナパターン１２が形成され、さらにＩＣを搭載するためのパッド１３が設けられている構成である。
【００１３】
基材１１は、紙あるいは樹脂などの絶縁材料により、使用対象のビデオカセットテープの背とほぼ同等の大きさの短冊形状に形成され、ビデオカセットテープに貼着した場合にビデオカセットテープの録画防止の爪の位置に相当する箇所に切り欠き部分１２１が形成された部材である。本実施の形態においては、基材１１はＶＨＳ方式のビデオカセットテープの背面の形状に適合した大きさであり、長手方向が１８ｃｍ、幅が２ｃｍである。
また、基材１１のアンテナパターン１２が形成される反対の面は、このアンテナシート１０を有するラベルがビデオカセットテープに貼付された時に表面となる面であり、たとえばタイトルなどの文字を記載可能なように白色に着色されている。
この基材１１の上に、アンテナパターン１２が形成され、ＩＣ２０が搭載される。
【００１４】
アンテナパターン１２は、基材１１の外周に沿って複数回周回されたコイルパターンである。したがってアンテナパターン１２の形状は、基本的に矩形となるが、基材１１の切り欠き部分１２１の箇所は、この切り欠き部分１２１を避けた凹形状となる。
アンテナパターン１２は、基材１１上に、アルミニウム、銅などの任意の導電材料を、エッチング、薄膜印刷あるいは厚膜印刷することにより形成される。
【００１５】
パッド１３は、アンテナパターン１２の両端部をこの箇所に搭載されるＩＣの対応する端子と接続するための電極であり、図１（Ｂ）に示すように、アンテナパターン１２の両端部の一部を広くしたパターン１３１により形成される。
なお、このパッド１３は、ラベルをはがれにくくするために、基材１１の隅部分を避けた位置に配置するのが有効である。
【００１６】
図２は、本実施の形態のビデオカセットテープ用ラベル１の構成を示す図である。
図２に示すように、このような構成のアンテナシート１０のパッド１３にＩＣ２０を搭載し、これを樹脂により封止し、さらに基材１１のアンテナパターン１２側全面に粘着層を形成することにより、ビデオカセットテープ用ラベル１が構成される。
【００１７】
図３は、このようなビデオカセットテープ用ラベル１に用いるＩＣ２０の内部回路構成を示す図である。
ＩＣ２０は、電源回路２１、信号Ｉ／Ｆ回路２２、メモリ２３および制御回路２４を有する。
電源回路２１は、アンテナ１２で受信したたとえばリード／ライト装置からの電磁波より、電源成分を検出し、整流し、所定電圧の安定した電源電圧を生成し、信号Ｉ／Ｆ回路２２、メモリ２３および制御回路２４に供給する。
【００１８】
信号Ｉ／Ｆ回路２２は、アンテナ１２で受信したたとえばリード／ライト装置からの電磁波より、信号成分を検出し、復調してベースバンドの信号を復元し、制御回路２４に出力する。また、制御回路２４からの送信対象の信号を変調して送信用の信号を生成し、アンテナ１２に印加する。
【００１９】
メモリ２３は、制御回路２４で実行する処理に関わる種々のデータやパラメータあるいは場合によっては制御プログラム、ＩＣ２０の動作に係わる種々のパラメータ、アンテナ１２および信号Ｉ／Ｆ回路２２を介して入力される種々の管理データなどを記憶するメモリであり、書き換え可能な不揮発性メモリにより構成される。
【００２０】
制御回路２４は、アンテナ１２および信号Ｉ／Ｆ回路２２を介してリード／ライト装置と通信を行いながら所望の処理を行なう。具体的には、たとえばビデオカセットテープ用ラベル１が貼付されたビデオカセットテープなどに関して、タイトルや内容などの情報を記憶したり、そのビデオカセットテープがレンタルされる際の、貸借人、レンタル期間、レンタル代金などの情報のメモリ２３への記憶およびその更新、管理などを行なう。
【００２１】
次に、このようなビデオカセットテープ用ラベル１を貼付したビデオカセットテープおよびその利用方法について図４〜図７を参照して説明する。
図４は、前述したようなビデオカセットテープ用ラベル１が貼着された本発明に係わるビデオカセットテープ１００を示す図である。
なお、ビデオカセットテープ１００に貼着されたビデオカセットテープ用ラベル１は、アンテナパターン１２が形成された面とは反対の文字などを書き込める面が外面になるように貼着されるので、アンテナパターン１２やＩＣ２０は観察できないが、図４においては説明のために、透視された状態のアンテナパターン１２およびＩＣ２０を図示する。
【００２２】
図４に示すように、ビデオカセットテープ用ラベル１は、ビデオカセットテープ１００の背部分に貼着して利用する。
この時、ビデオカセットテープ用ラベル１の切り欠き部分１２１が、ビデオカセットテープ１００の録画防止の爪１０２部分に配置されるように、ビデオカセットテープ用ラベル１を貼着する。このようにすることにより、録画防止の爪１０２の機能を損なうことなく、ビデオカセットテープ１００の背面の全面にアンテナパターン１２を配置することができる。そしてその結果、ビデオカセットテープ１００の背面の全域において、リード／ライト装置とのデータの送受信が可能となる。
【００２３】
このビデオカセットテープ用ラベル１に、各ビデオカセットテープ１００ごとのコンテンツのタイトル、内容などの情報や、レンタルに係わる情報、貸し出し回数に係わる情報、著作権に係わる情報など、任意の管理データを記録し、ビデオカセットテープ１００の利用や管理の際の情報とする。
【００２４】
ここで、通常のビデオカセットテープのラベルと比較する。
図５に示すように、通常のビデオカセットテープ８００においては、録画防止の爪８０２が配置されている一方の端部を除いた部分に、わずかに凹形状に成形されたシール貼着部分８０１が設けられており、ラベル８１０もこの凹部分に合わされたたとえば１５ｃｍ×２ｃｍというようなサイズとなっている。そして、通常のラベル８１０をこのシール貼着部分８０１に貼着すると、図５に示すような形態となる。
【００２５】
仮に、ラベル８１０がラベルの外周いっぱいにアンテナパターンが形成されたデータキャリアとした場合、ラベル８１０は本実施の形態のビデオカセットテープ１００よりも３ｃｍ程度短く、録画防止の爪８０２の近傍にはアンテナパターン１２が設けられないことになる。その結果、この付近でのデータの送受信は難しくなり、ビデオカセットテープ８００の背面全面でリード／ライト装置との通信が快適に行なえるとは言い難い。
これに比べて本実施の形態のビデオカセットテープ１００においては、録画防止の爪１０２の近傍を含む背面全体に、長さ１８ｃｍのビデオカセットテープ用ラベル１が貼着されているので、ビデオカセットテープ１００の背面全面でリード／ライト装置との通信が快適に行なえる。
【００２６】
したがって、たとえば図６に示すように、ビデオカセットテープ１００が棚にたてかけて並べて収納されている場合にも、ビデオカセットテープ１００を１本ずつ抜き出すなどの作業は必要なく、単にリード／ライト装置２１０をビデオカセットテープ１００の背面の任意の箇所にあてがうだけで、データの読み出し、更新および管理などが可能となる。
また、たとえばレジなどにおいて、複数のビデオカセットテープ１００に対してその情報の読み出しや更新などを行なう場合も、図７に示すように、ビデオカセットテープ１００の背面をレジ装置２２０のアンテナ２２２に向くように並べておくことにより、何本のビデオカセットテープ１００でも一括的に処理を行なうことができ、レジにおける処理を効率よく行なうことができる。
【００２７】
なお、ビデオカセットテープ用ラベル１０を貼着するビデオカセットテープのカセットケースは、従来用いられているものと同じでよいが、好適には、ビデオカセットテープ用ラベル１を貼付した場合に、ＩＣ２０が配置される箇所が僅かに凹形状に形成されていることが好ましい。これにより、ＩＣ２０に対する押圧を逃すことができる。
【００２８】
なお、本発明は本実施の形態に限られるものではなく、任意好適な種々の改変が可能である。
たとえば、本実施の形態においては、ＩＣ２０およびアンテナシート１０を有するビデオカセットテープ用ラベル１をビデオカセットテープ１００に貼着する例を示したが、このようなアンテナパターン１２およびＩＣ２０を、当初よりビデオカセットテープ１００の背の表面付近に埋設した構成としてもよい。
そのような構成にしておけば、何ら後からラベルを貼ることなく、前述した各効果が得られる。
【００２９】
また、制御回路２４は、特定の制御手続きを実行する専用のコントローラ回路であってもよいし、メモリ２３に記録されたプログラムに従って動作するＣＰＵのような回路であってもよい。
また、本実施の形態においては、ビデオカセットテープに貼着して好適なラベルを例示して本発明を説明したが、ラベル貼着対象はこれに限られるものではない。たとえば、音楽カセットテープや、ＤＡＴなどの記録媒体に適用してもよい。また、電子的な記録媒体でなくとも、書籍などの管理に適用してもよい。
【００３０】
【発明の効果】
このように、本発明によれば、たとえばビデオカセットテープなどの背面に貼着して用いることにより、その背面のどの領域においても適切に通信を行なうことができ、その媒体に関する情報を一括してあるいは余分な手間を必要とせず、効率よく読み書きすることのできるラベルを提供することができる。また、そのようなラベルに用いられ、効率よくデータの読み書きが行なえるようなラベル用アンテナを提供することができる。さらに、そのカセットテープの内容に係わる情報や管理情報などを、効率よく読み書きすることのできるデータキャリアを有するカセットテープを提供することができる。
【図面の簡単な説明】
【図１】図１は、本発明の一実施の形態のアンテナシートを示す図である。
【図２】図２は、図１に示したアンテナシートにＩＣを搭載した、本発明の一実施の形態のビデオカセットテープ用ラベルを示す図である。
【図３】図３は、図２に示したビデオカセットテープ用ラベルのＩＣの構成を示すブロック図である。
【図４】図４は、図２に示したビデオカセットテープ用ラベルをビデオカセットテープに貼着した状態を示す図である。
【図５】図５は、通常のラベルをビデオカセットテープに貼着した状態を示す図であり、図４に示す本発明に関わる形態との比較をするための図である。
【図６】図６は、図４に示したビデオカセットテープが多数棚に収容されている場合に、各ビデオカセットテープに記憶されている情報を更新し、各ビデオカセットテープを管理する状態を説明するための図である。
【図７】図７は、図４に示したビデオカセットテープを購入する際のレジにおける処理を説明するための図である。
【図８】図８は、従来のビデオカセットテープを示す図でありカセットケース表面にバーコードシールまたはデータキャリアが貼着されている状態を示す図である。
【図９】図９は、図８に示したビデオカセットテープが多数棚に収容されている場合に、各ビデオカセットテープに記憶されている情報を更新し、各ビデオカセットテープを管理する状態を説明するための図である。
【図１０】図１０は、図８に示したビデオカセットテープを購入する際のレジにおける処理を説明するための図である。
【符号の説明】
１…ビデオカセットテープ用ラベル
１０…アンテナシート
１１…基材
１２…アンテナパターン（アンテナ）
１２１…切り欠き部分
１３…パッド
１３１…電極パターン
２０…ＩＣ
２１…電源回路
２２…信号Ｉ／Ｆ回路
２３…メモリ
２４…制御回路
１００…ビデオカセットテープ
１０２…録画防止の爪
２１０…リード／ライト装置
２２０…レジ装置（リード／ライト装置）
２２２…アンテナ
８００…ビデオカセットテープ
８０１…シール貼着部分
８０２…録画防止の爪
８１０…ラベル
９００…ビデオカセットテープ
９０２…上面
９０４…シール（バーコードシール、データキャリア）
９０６…リード／ライト装置
９０８…アンテナ
９１０…レジ装置（リード／ライト装置）
【図１】
0004376415.tif 000002
【図２】
0004376415.tif 000003
【図３】
0004376415.tif 000004
【図４】
0004376415.tif 000005
【図５】
0004376415.tif 000006
【図６】
0004376415.tif 000007
【図７】
0004376415.tif 000008
【図８】
0004376415.tif 000009
【図９】
0004376415.tif 000010
【図１０】
0004376415.tif 000011